(57)【要約】【課題】  通話を楽しむことができる携帯電話用人形を提供する。【解決手段】  人形本体１内には、接続コード１１を通じて携帯電話１２からの音声信号を受信する制御部４と、この制御部と電池６との間を連断するための電源スイッチ５と、制御部４に接続されている駆動モータ７、スピーカー９及びマイク１０とを設け、制御部４は上記音声信号の受信に伴って駆動モータ７に駆動信号を送信可能であり、マイク１０から受信した音声信号を接続コード１１を通じて携帯電話１２に送信可能であり、駆動モータ７は人形本体１の動作機構８における口の開閉機構の駆動源である。【選択図】        図１
0003139700.tif 000002
【実用新案登録請求の範囲】
【請求項１】
人形本体と、この人形本体内に設けてある駆動体及びマイクと、携帯電話と接続可能であって上記人形本体外に延伸している接続コードとを設けてあり、
上記駆動体は制御部、この制御部と電源との間を連断するための電源スイッチ、駆動モータ及びこの駆動モータを駆動源とする動作機構を備えており、
上記制御部には上記接続コード、スピーカー、上記マイク及び上記駆動モータをそれぞれ接続してあり、
上記制御部は、上記接続コードを通じて上記携帯電話からの音声信号を上記スピーカーに送信可能であって、上記音声信号の受信に伴って駆動モータに駆動信号を送信可能であると共に、上記マイクから受信した音声信号を上記接続コードを通じて上記携帯電話に送信可能であり、
上記電源は、上記駆動体に内蔵されている電池であり、
上記動作機構は口の開閉機構を備えている
ことを特徴とする携帯電話用人形。
【請求項２】
動作機構における口の開閉機構は、本体ケース内に収納されかつ対向位置関係の案内板が上記本体ケースより上方に起立されている中ケースと、この中ケース内に設けてあって、駆動モータの駆動力が伝達手段を介して伝達されかつ回転中心となる中心軸に軸支されている昇降駆動歯車と、上記中心軸に軸支されている昇降偏心カムと、下部に横長孔を有する昇降駆動板と、上顎板と支持軸を回転中心とする下顎板とを有すると共に、この下顎板がばねによって上記上顎板に接近する方向にばね力が付勢されている口機構部とを備えており、上記昇降駆動板が上記中ケース内に、かつその上部側が上記両案内板間にそれぞれ昇降可能に配置されており、上記昇降偏心カムがその回転に伴って上記横長孔の内周面を押圧可能であり、上記口機構部が上記昇降駆動板の上部に取り付けられ、かつ上記昇降駆動板の昇降に従って上記下顎板が上記支持軸を回転中心として回転可能であることを特徴とする請求項１記載の携帯電話用人形。
【請求項３】
動作機構は口の開閉機構と揺動機構を備えており、この揺動機構が回転中心となる中心軸に軸支されている揺動歯車と、揺動歯車に噛み合いかつ伝達軸に軸支されている揺動伝達歯車と、上記伝達軸を回転中心として上記揺動伝達歯車と一体に回転する揺動偏心カムと、下部に揺動用長孔を有する揺動伝達板とを備えており、上記中ケースが本体ケースの軸受け部に回転可能に支持されており、上記揺動伝達板の先端が上記中ケースの一側の軸部にこの軸部を中心として回転可能に支持されかつ後端が上記本体ケース内に設けてある支持棒にこの支持棒を中心として回転可能に支持されており、上記揺動偏心カムがその回転に伴って上記揺動用長孔の内周面を押圧可能であることを特徴とする請求項２記載の携帯電話用人形。
【請求項４】
接続コードは携帯音楽プレーヤーその他の音声発生機器に接続可能であり、音声発生機器からの音声信号を制御部を介してスピーカーに送信することができることを特徴とする請求項１乃至請求項３のいずれかに記載の携帯電話用人形。
【考案の詳細な説明】
【技術分野】
【０００１】
この考案は、携帯電話を利用して会話を楽しむことができる携帯電話用人形に関するものである。
【背景技術】
【０００２】
従来の携帯電話用人形として、例えば特開２００１−２４７４９号公報に記載の着信報知玩具や特開２００５−７１９０号公報に記載のイヤホンマイク又はヘッドホンマイクを内蔵できるぬいぐるみ（以下「従来例１」及び「従来例２」という。）が提案されている。
従来例１は、人形体で人形本体を形成し、その内部に着信電波を検知して発光、音出力、駆動部の動作などを行い携帯電話機の着信を報知する機能を備えた玩具である。
従来例２は、ぬいぐるみと携帯電話用のイヤホンマイク又はヘッドホンマイクを一体化し、車内で携帯電話を使う時に、ハンズフリーによる通話を可能とするものである。
【特許文献１】特開２００１−２４７４９号公報
【特許文献２】特開２００５−７１９０号公報
【考案の開示】
【考案が解決しようとする課題】
【０００３】
従来例１及び従来例２はいずれもそれぞれの特徴を備えているものの、携帯電話と人形との組み合わせによって通話を楽しむ手段としてさらなる改善の余地があった。
この考案の目的は、通話を楽しむことができる携帯電話用人形を提供することにある。
【課題を解決するための手段】
【０００４】
この考案の第１の特徴は、人形本体と、この人形本体内に設けてある駆動体及びマイクと、携帯電話と接続可能であって上記人形本体外に延伸している接続コードとを設けてあり、上記駆動体は制御部、この制御部と電源との間を連断するための電源スイッチ、駆動モータ及びこの駆動モータを駆動源とする動作機構を備えていることにある。上記制御部には上記接続コード、スピーカー、上記マイク及び上記駆動モータをそれぞれ接続してある。上記制御部は、上記接続コードを通じて上記携帯電話からの音声信号を上記スピーカーに送信可能であって、上記音声信号の受信に伴って駆動モータに駆動信号を送信可能であると共に、上記マイクから受信した音声信号を上記接続コードを通じて上記携帯電話に送信可能である。上記電源は、上記駆動体に内蔵されている電池である。上記動作機構は口の開閉機構を備えている。
この考案の第２の特徴は、上記第１の特徴を備えており、動作機構における口の開閉機構が本体ケース内に収納されかつ対向位置関係の案内板が上記本体ケースより上方に起立されている中ケースと、この中ケース内に設けてあって、駆動モータの駆動力が伝達手段を介して伝達されかつ回転中心となる中心軸に軸支されている昇降駆動歯車と、上記中心軸に軸支されている昇降偏心カムと、下部に横長孔を有する昇降駆動板と、上顎板と支持軸を回転中心とする下顎板とを有すると共に、この下顎板がばねによって上記上顎板に接近する方向にばね力が付勢されている口機構部とを備えており、上記昇降駆動板が上記中ケース内に、かつその上部側が上記両案内板間にそれぞれ昇降可能に配置されており、上記昇降偏心カムがその回転に伴って上記横長孔の内周面を押圧可能であり、上記口機構部が上記昇降駆動板の上部に取り付けられ、かつ上記昇降駆動板の昇降に従って上記下顎板が上記支持軸を回転中心として回転可能であることにある。
この考案の第３の特徴は、上記第２の特徴を備えており、動作機構が口の開閉機構と揺動機構を備えており、この揺動機構が回転中心となる中心軸に軸支されている揺動歯車と、揺動歯車に噛み合いかつ伝達軸に軸支されている揺動伝達歯車と、上記伝達軸を回転中心として上記揺動伝達歯車と一体に回転する揺動偏心カムと、下部に揺動用長孔を有する揺動伝達板とを備えており、上記中ケースが本体ケースの軸受け部に回転可能に支持されており、上記揺動伝達板の先端が上記中ケースの一側の軸部にこの軸部を中心として回転可能に支持されかつ後端が上記本体ケース内に設けてある支持棒にこの支持棒を中心として回転可能に支持されており、上記揺動偏心カムがその回転に伴って上記揺動用長孔の内周面を押圧可能であることにある。
この考案の第４の特徴は、上記第１乃至第３のいずれかの特徴を備えており、接続コードが携帯音楽プレーヤーその他の音声発生機器に接続可能であり、音声発生機器からの音声信号を制御部を介してスピーカーに送信することができることにある。
【考案の効果】
【０００５】
この考案によれば、携帯電話用人形の人形本体を通じて発信者の声を聴くことができると共に、ハンズフリー機能を備えているので簡易に会話を楽しむことができる。
【考案を実施するための最良の形態】
【０００６】
図１及び図２に示す携帯電話用人形Ｄは、人形本体１と、この人形本体内に収納してある駆動体３及びマイク１０と、携帯電話１２と接続可能であって上記人形本体外に延伸している接続コード１１とを設けてある。駆動体３は、制御部４、この制御部と電源６との間を連断するための電源スイッチ５、駆動モータ７及びこの駆動モータを駆動源とする動作機構８を備えている。制御部４には接続コード１１、スピーカー９、マイク１０及び駆動モータ７をそれぞれ接続してある。人形本体１は携帯電話１２と接続コード１１を通じて接続可能である。
【０００７】
携帯電話用人形Ｄは図示の例では動物のぬいぐるみからなり、人形本体１の顔部分に設けてある口２を後述する動作機構８の口の開閉機構１５の駆動に伴って開閉することができると同時に、揺動機構１６の駆動に伴って口の周辺部分を動かすことができる。人形本体１の胴前部分に携帯電話１２を収納可能である上端開口の収納袋１３を取り付けてある。
図２に示すように人形本体１の底部には電池ボックス１４を取り付けてある。電池ボックス１４内に電源である電池６を取り出し可能に収納してある。
電池６は制御部４に接続されている。電源スイッチ５は、オン・オフ操作によって制御部４と電池との間を連断する。電源スイッチ５は、人形本体１の外側から人手によって操作することができる。電源スイッチ５は、制御部４の全体を開閉するものである。
【０００８】
図１に示すように、制御部４にはスピーカー９及びマイク１０がそれぞれ接続されている。制御部４からの音声信号（受話信号）は、内蔵する増幅回路（図示せず。）によって増幅されてスピーカー９から出力される。
制御部４はマイク１０からの音声信号（送話信号）を内蔵するフィルター回路を介して携帯電話１２に出力する。
また制御部４には駆動モータ７が接続されている。制御部４は、内蔵するコントローラ（図示せず。）から出力される信号によって駆動モータ７を制御している。
駆動モータ７は、人形本体１に設けてある口２の開閉動作を可能にするための動作機構８の口の開閉機構１５の駆動源であり、同時に口周辺の動きを可能にするための揺動機構１６の駆動源でもある（図３）。
【０００９】
動作機構８について、図３〜図１１を参照して説明する。
動作機構８を構成している口２の開閉機構１５及び揺動機構１６の主要部はいずれも、図３及び図４に示すように駆動体３に組み込まれている。
駆動体３は、本体ケース１７と、この本体ケースに上部を露出した状態で揺動可能に取り付けられている中ケース１８とを備えている。
本体ケース１７は、前本体ケース１７ａと後本体ケース１７ｂとを組み合わせているものである。前本体ケース１７ａの前側内面にスピーカー９を固定してある。前後両本体ケース１７ａ，１７ｂの中央上部に筒状の軸受け部１７ａ１，１７ｂ１（図３）を対向的に突出してある。本体ケース１７の内底部には電池ボックス１４を設けてあり、この電池ボックス上に制御部４を配置してある。本体ケース１７内の前面一側（図４左側）には支持棒１９を水平に渡してある。
【００１０】
中ケース１８は、図３〜図６に示すように前中ケース１８ａと後中ケース１８ｂとを組み合わせ、内部が仕切り板１８ｃによって図３左側と右側の２室に仕切られている。前中ケース１８ａと後中ケース１８ｂの各中央外面の上部側に軸部１８ａ１，１８ｂ１（図３）を突出してある。軸部１８ａ１，１８ｂ１は本体ケース１７の軸受け部１７ａ１，１７ｂ１（図３）に回転可能に挿入されており、このため中ケース１８は軸部を中心として本体ケースに対して揺動可能となっている。前中ケース１８ａ及び後中ケース１８ｂの各中央上面から互いに対向位置関係に案内板１８ａ２，１８ｂ２を起立してあり、これらの案内板が本体ケース１７より上方に露出されている。前中ケース１８ａの案内板１８ａ２は後中ケース１８ｂ側が開口された平面溝形になっており、上端に受板１８ａ４を水平に設けてある。案内板１８ａ２の上部に連結孔１８ａ３（図５）を開けてある。後中ケース１８ｂの案内板１８ｂ２の上部に案内突部１８ｂ３を突出してある。図３に示すように、対向している連結孔１８ａ３と案内突部１８ｂ３はビス２０によって結合されている。
【００１１】
中ケース１８内の仕切り板１８ｃの一側室（図３右側室）には動作機構８の口２の開閉機構１５が、他側室（左側室）には揺動機構１６がそれぞれ組み込まれている。すなわち、
図３〜図５に示すように、中ケース１８内上部に中心軸２１を渡してあり、軸端が前後両中ケース１８ａ，１８ｂの軸部１８ａ１，１８ｂ１内に軸受けされている。
中ケース１８内の図３右側室には回転車２２、第１、第２及び第３の伝達歯車２３，２４，２５、昇降駆動歯車２６並びに昇降駆動板２７が配置されている。
回転車２２は中心軸２１を回転中心としており、そしてベルト２８を通じて駆動モータ７の駆動力が伝達される。ベルト２８は、回転車２２との駆動モータ７の駆動車２９との間に掛け回されている。回転車２２にはその内側に第１の伝達歯車２３を一体的に設けてある。第１の伝達歯車２３には伝達軸３０を回転中心とする第２の伝達歯車２４が噛み合っている。第２の伝達歯車２４にはその内側に第３の伝達歯車２５を一体的に設けてある。第３の伝達歯車２５には中心軸２１を回転中心としこの中心軸に軸支されている昇降駆動歯車２６が噛み合っている。昇降駆動歯車２６には、図５及び図７に示すようにその内側面にこの昇降駆動歯車と同心の環状体２６ａを一体的に設けてある。昇降駆動歯車２６の内側には、互いに一体的に形成されている昇降偏心カム３１及び揺動歯車３２を配置してある。昇降偏心カム３１はビス３３（図７）によって昇降駆動歯車２６に固定されている。
昇降駆動板２７は、仕切り板１８ｃと昇降駆動歯車２６との間に配置されている。昇降駆動板２７はその上部側が中ケース１８より上方に起立され、案内板１８ａ２，１８ｂ２間に昇降可能に配置されている。昇降駆動板２７のほぼ中央部分に案内縦長孔２７ａを開けてある。案内突部１８ｂ３は案内縦長孔２７ａ内を昇降可能である。また昇降駆動板２７は、その下部に図８に示すように横長孔２７ｂを開けてある。昇降偏心カム３１は横長孔２７ｂ内に位置していると共に、その内周面に接しながら回転可能である。
【００１２】
昇降駆動板２７の昇降動作は次のようにして行われる。
図３及び図４に示すように、駆動モータ７の駆動力は駆動車２９及びベルト２８を介して回転車２２に伝わり、回転車の回転力は第１、第２及び第３の伝達歯車２３，２４，２５を経て昇降駆動歯車２６に減速して伝わる。昇降駆動歯車２６の回転に従動して中心軸２１と共に昇降偏心カム３１も回転するので、昇降駆動板２７は昇降偏心カムの回転に伴って横長孔２７ｂの内周面が押圧され、中ケース１８上方において図８（ア）〜（ウ）に示す昇降動作を繰り返す。
【００１３】
図３に示すように、昇降駆動板２７の上部には口機構部３４を取り付けてあり、この口機構部が昇降駆動板の昇降に伴って開閉駆動される。
口機構部３４は、図３〜図６及び図９に示すように、台部３５を備えている。台部３５は穴３５ａが開けられており、この穴内を昇降駆動板２７が貫通されている。台部３５には支柱３６が起立されている。支柱３６の上部の接続部３６ａは昇降駆動板２７の上部の保持凹部内に嵌め込まれ、嵌め込み状態がビス３７によって固定されている（図３）。台部３５から図５右側に延びる側板３８を設けてあり、両側板間に右肩上がりに傾斜し、かつ平面形状がほぼ半円形の上顎板３９が設けられている。上顎板３９は人形本体１の口２の内面に取り付けられている。
上顎板３９の下側には下顎板４０を設けてある。下顎板４０は、後端部の軸部４１を貫通し側板３８間に渡してある支持軸４２を回転中心として回転可能である。軸部４１から支柱３６に向けて「へ」の字形の連結板４３を設けてあり、この連結板の一端側（図３左端側）の下端部は前中ケース１８ａの受板１８ａ４の上面に常時接している。下顎板４０は、ばね４４によって常に受板１８ａ４側に向けてばね力が付勢されている。このために、下顎板４０は上顎板３９に対して接近する方向にばね力が付勢され、結局口が閉じる方向にばね力が付勢されている。下顎板４０には舌片状に被覆部２ａ（図３）で被覆されており、この被覆部は図２に示すように人形本体１の外側に露出され、下唇部に相当している。図３では、被覆部２ａの後端側が切欠して示している。
口機構部３４は、図３に示すように昇降駆動板２７の上部側に固定されているので、昇降駆動板の昇降に従動して昇降駆動板と同一方向に昇降する。例えば、昇降駆動板２７が図３鎖線に示すように上昇すると、口機構部３４が上昇し、連結板４３も上昇して受板１８ａ４上面から離れようとするが、この連結板は受板上面にばね４４によって常に接する方向（図３反時計方向）にばね力が与えられているので、下顎板４０はばね力にしたがって支持軸４２を中心として図３反時計方向に回転するから、同図の鎖線に示すように口が閉じられた状態になる。反対に、昇降駆動板２７が降下すると、口機構部３４が降下し、連結板４３も降下して受板１８ａ４上面を押圧するから、下顎板４０がばね４４のばね力に抗して支持軸４２を中心として時計方向に回転し、上顎板３９の下面から離れて行き、上顎板３９と共に「く」の字を形成して口が開放された状態になる。
【００１４】
中ケース１８内の左側室（図３）には、揺動歯車３２、揺動伝達歯車４５、揺動偏心カム４６及び揺動伝達板４７が配置されている。
揺動伝達歯車４５は図３に示すように伝達軸３０に軸支されこの伝達軸を回転中心とし、揺動歯車３２と噛み合っている。揺動伝達歯車４５には、図５及び図１０に示すようにその内側に揺動偏心カム４６が一体的に設けられている。
揺動伝達板４７は、図３及び図１１に示すように先端の環状部４７ａが、後中ケース１８ｂの内面にかつ軸部１８ｂ１と同心の軸部１８ｄに回転可能に嵌め込まれている。揺動伝達板４７は後端に支持孔４７ｂを開けてある。揺動伝達板４７は、その後端側が支持孔４７ｂを貫通している支持棒１９によって保持されている。揺動伝達板４７は、その両端が中ケース１８との相対的関係において軸部１８ｄ及び支持棒１９にそれぞれ回転可能に支持されている。揺動伝達板４７は、その中央部分に揺動用長孔４７ｃを開けてある。揺動偏心カム４６は揺動用長孔４７ｃ内に位置していると共に、その内周面に接しながら回転可能である。
【００１５】
揺動伝達板４７の動作に基づく口２の周辺部分の動きは次のとおりである。
図３及び図４に示すように、駆動モータ７の駆動力は回転車２２並びに第１、第２及び第３の伝達歯車２３，２４，２５を経て昇降駆動歯車２６及び揺動歯車３２に伝達され、そして揺動伝達歯車４５に減速して伝わる。揺動伝達歯車４５の回転力は伝達軸３０に伝達されるから揺動偏心カム４６も伝達軸３０を中心として回転するので、図１１に示すように揺動偏心カムは回転しながら揺動伝達板４７の揺動用長孔４７ｃの内周面を押圧する。この押圧力は、揺動伝達板４７の両端の位置が保持されていることから、結局中ケース１８に及ぶことになり、その結果、この中ケースが軸部１８ａ１，１８ｂ１を中心して揺動し、図１１（ア）〜（エ）に示す揺動動作を繰り返す。
中ケース１８の揺動に伴って昇降する昇降駆動板２７も左右方向（板幅方向）に振れるから口機構部３４も同じ方向に振れ、口２の周辺部が動くことになる。
【００１６】
携帯電話用人形Ｄの人形本体１の一側部（図２右側部）の下側には接続コード１１の後端を接続してある。接続コード１１の先端に接続プラグ４８を設けてある。接続プラグ４８は、図２に示す例では平型のものを用いている。接続プラグ４８は携帯電話１２の側部に設けてあるイヤホンマイク端子（図示せず。）に差し込んで使用する。
【００１７】
受信時（通話時）における携帯電話１２からの音声信号は制御部４の受信回路で受信されて、スピーカー９に送信される。制御部４は、上記音声信号の受信に伴って駆動モータ７に駆動信号を送信し、駆動モータの駆動により口の開閉機構１５及び揺動機構１６が作動可能となる。制御部４は、マイク１０から受信した音声信号を接続コード１１を通じて携帯電話１２に送信可能（出力可能）である。
【００１８】
次に、この考案に係る携帯電話用人形Ｄの使用方法について説明する。
通常、携帯電話１２の使用者はこの携帯電話を人形本体１の前側に収納袋１３に入れておき、電源スイッチ５を入れて制御部４をオンの状態にしておく。そして、使用者の携帯電話１２のイヤホンマイク端子に接続コード１１の先端の接続プラグ４８を差し込んでおく。
受信した時には、使用者が携帯電話１２を収納袋１３から出し、携帯電話の通話ボタンを押すと、発信者の声が内蔵のスピーカー９を通して聴くことができ、同時に人形本体１の口２があたかも発信者の声に併せているかのように動く。これは、受信に伴って駆動モータ７が駆動して、口の開閉機構１５が作動するからである。発信者の発声中は口２が絶えず開閉する。図示の例では口２の下唇部に相当する被覆部２ａがその後端部を中心として先端側を上下に動かして話す動作をする。
受信者である使用者は、発信者からの声が出されている携帯電話用人形Ｄに向かって話すと、その声を内蔵のマイク１０が拾い、マイクに通じている制御部４が音声信号として接続コード１１側に出力するから携帯電話１２を通じて発信者の電話機に送信される。
このように、携帯電話用人形Ｄはハンズフリーの通話が可能となる。
【００１９】
口２の動きについてさらに説明する。
受信に伴って駆動モータ７が駆動し、その駆動力は口の開閉機構１５が作動することになり、例えば昇降駆動板２７が降下すると、受板１８ａ４上面に接している連結板４３が上側に押され、下顎板４０は支持軸４２を中心として図３時計方向に回転するから、上顎板３９と共に「く」の字を形成して口２が開放された状態になり、また上昇すると下顎板４０が反時計方向に回転するから、上顎板３９の下面に接近して、口が閉じられた状態になる。
口２の開閉と同時に駆動モータ７の駆動力は揺動機構１６に伝えられることになり、揺動伝達板４７は、図１１に示すように揺動偏心カム４６の回転に伴って揺動用長孔４７ｃの内周面が押圧され、この押圧力が中ケース１８に及ぶことになるから、この中ケースが軸部１８ａ１，１８ｂ１を中心して揺動し、この揺動に伴って揺動伝達板４７も図１１（ア）〜（エ）に示す揺動動作を繰り返し、この動作によって口２の周辺が動く。
このように、口２は開閉機構１５及び揺動機構１６の作動によって携帯電話用人形Ｄがあたかもおしゃべりしているような印象を使用者に与える。
【００２０】
通話を終了したら、使用者は携帯電話１２の通話ボタンを押すと共に、電源スイッチ５を必要に応じて切る。発信者からの音声信号が絶たれれば、制御部４から駆動モータ７への駆動信号が出力されないから、駆動モータの駆動が停止され、口の開閉機構１５及び揺動機構１６の動作は停止状態になるから、口２の動きが止まることになる。
携帯電話１２を使用せず、いわゆるスタンドバイ状態にしておく必要がない場合には、電源スイッチ５を切っておく。
【００２１】
図示する考案によれば、あたかもしゃべる人形として商品価値を高めることができ、ハンズフリーが可能となるから携帯電話による通話が便利となる。
【００２２】
接続コードは、図示する接続コード１１に代えて、図１２に示すように、第１の接続コード１１Ａと、第２の接続コード１１Ｂとで構成しても良い。
第１の接続コード１１Ａは、その先端側にピン型の接続プラグ４９を設けている。接続プラグ４９は端子ピン５０を設けてある。
第２の接続コード１１Ｂは、先端に平型の接続プラグ５１を、後端に接続プラグ５２をそれぞれ設けている。接続プラグ５２には内部に端子ピン孔５２ａを開けてある。
使用例として、接続プラグ４９の端子ピン５０を音声発生機器として携帯音楽プレーヤー５３の接続部５３ａの端子に差し込み、電源スイッチを入れる。
この状態で、携帯音楽プレーヤー５３を駆動させれば、第１の接続コード１１Ａを通じて音声信号が人形本体１に出力され、スピーカー９から演奏曲が流れる。
また他の例として、音声発生機器の端子が平型に対応するものであれば、接続プラグ４９の端子ピン５０を接続プラグ５２の端子ピン孔５２ａに差し入れて、第１の接続コード１１Ａを第２の接続コード１１Ｂに接続し、音声発生機器の接続部の端子に接続プラグ５１を差し入れた状態で電源スイッチを入れる。
接続コード１１、第１及び第２の接続コード１１Ａ，１１Ｂを利用して携帯音楽プレーヤー５３、ラジオ、コンパクトディスクプレーヤーなどの音声発生機器に接続すれば、携帯電話用人形は音声発生機器のスピーカーとして利用できる。
携帯電話用人形Ｄは、駆動時には、接続コード１１，１１Ａ，１１Ｂから人形本体１に出力される音声信号を通じて口２も動くことになるから、ハンズフリー装置の他に、スピーカーとして使用できるから、利用範囲が広がり、実用性がある。
【００２３】
動作機構８は口の開閉機構１５のみを備えるものであっても良いが、揺動機構１６を併せて備えると、口２の動きが実際の動きに近くなるから、商品価値が高まる。
【図面の簡単な説明】
【００２４】
【図１】この考案に係る携帯電話用人形を示す構成図である。
【図２】この考案に係る携帯電話用人形の正面図である。
【図３】この考案に係る携帯電話用人形に用いる駆動体の一部切欠側面図である。
【図４】この考案に係る携帯電話用人形に用いる駆動体の一部切欠正面図である。
【図５】この考案に係る携帯電話用人形に用いる動作機構の主要部を分解して示す一部切欠側面図である。
【図６】この考案に係る携帯電話用人形に用いる動作機構の主要部を分解して示す一部切欠縮小正面図である。
【図７】この考案に係る携帯電話用人形に用いる昇降駆動歯車を示す拡大背面図である。
【図８】この考案に係る携帯電話用人形に用いる昇降駆動板の昇降過程を段階的に示す正面図である。
【図９】この考案に係る携帯電話用人形に用いる口機構部を示す平面図である。
【図１０】この考案に係る携帯電話用人形に用いる揺動伝達歯車を示す拡大背面図である。
【図１１】この考案に係る携帯電話用人形に用いる揺動機構と中ケースとの関係を段階的に示す正面図である。
【図１２】この考案に係る携帯電話用人形に用いる接続コードの他の例を示す分解図である。
【符号の説明】
【００２５】
Ｄ                                携帯電話用人形
１                                人形本体
２                                口
３                                駆動体
４                                制御部
５                                電源スイッチ
６                                電池（電源）
７                                駆動モータ
８                                動作機構
９                                スピーカー
１０                              マイク
１１                              接続コード
１１Ａ                            第１の接続コード（接続コード）
１１Ｂ                            第２の接続コード（接続コード）
１２                              携帯電話
１５                              口の開閉機構
１６                              揺動機構
１７                              本体ケース
１８                              中ケース
１８ａ１，１８ｂ１                軸部
１８ａ２，１８ｂ２                案内板  
１８ｄ                            軸部
２１                              中心軸
２２                              回転車
２３                              第１の伝達歯車（伝達手段） 
２４                              第２の伝達歯車（伝達手段）
２５                              第３の伝達歯車（伝達手段）
２６                              昇降駆動歯車
２７                              昇降駆動板
２７ｂ                            横長孔
３０                              伝達軸
３１                              昇降偏心カム
３２                              揺動歯車
３４                              口機構部
３９                              上顎板
４０                              下顎板
４２                              支持軸
４４                              ばね
４５                              揺動伝達歯車
４６                              揺動偏心カム
４７                              揺動伝達板
４７ｂ                            支持孔
４７ｃ                            揺動用長孔
４８，４９，５１                  接続プラグ
５３                              携帯音楽プレーヤー（音声発生機器）
【図１】
0003139700.tif 000003
【図２】
0003139700.tif 000004
【図３】
0003139700.tif 000005
【図４】
0003139700.tif 000006
【図５】
0003139700.tif 000007
【図６】
0003139700.tif 000008
【図７】
0003139700.tif 000009
【図８】
0003139700.tif 000010
【図９】
0003139700.tif 000011
【図１０】
0003139700.tif 000012
【図１１】
0003139700.tif 000013
【図１２】
0003139700.tif 000014